(57)【要約】【課題】多数の負荷に対応させる場合でも操作性がよく、また表示器の画面サイズを小さく抑えることができる監視制御装置を提供する。【解決手段】制御部は、それぞれ負荷に対応付けられた複数個の操作釦Ｂ１１〜Ｂ１４，Ｂ２１〜Ｂ２４，Ｂ３１〜Ｂ３４を分けて表示器２に表示させる表示制御手段、並びに表示器２に表示される操作釦Ｂ１１〜Ｂ１４，Ｂ２１〜Ｂ２４，Ｂ３１〜Ｂ３４を切り替えるページ切替手段としての機能を有している。表示制御手段は、それぞれ異なる組み合わせの複数個の操作釦Ｂ１１〜Ｂ１４，Ｂ２１〜Ｂ２４，Ｂ３１〜Ｂ３４を含む複数の操作ページＰ１〜Ｐ３の中から択一的に選択された操作ページＰ１〜Ｐ３を表示器２に表示させ、ページ切替手段は、ページ切替釦Ｄ１〜Ｄ３の操作に応じて表示器２に表示させる操作ページＰ１〜Ｐ３を切り替える。【選択図】図１
2010273122.tif 000002
【特許請求の範囲】
【請求項１】
通信によって負荷の監視制御を行う遠隔監視制御システムに用いられる監視制御装置であって、それぞれ負荷に対応付けられている複数の操作釦を画面上に表示可能な表示器と、表示器の画面に重ねて配置されるタッチスイッチを含みユーザにより操作される操作入力部と、表示器に表示される操作釦をユーザがタッチ操作することで当該操作釦に対応する負荷が制御されるように、表示器の表示制御および操作入力部の操作に応じた負荷制御を行う制御部とを備え、制御部は、それぞれ異なる組み合わせの複数個の操作釦を含む複数の操作ページの中から択一的に選択された操作ページを表示器に表示させる表示制御手段と、ユーザの操作に応じて表示器に表示させる操作ページを切り替えるページ切替手段とを有することを特徴とする監視制御装置。
【請求項２】
前記制御部は、前記操作入力部が所定時間に亘り操作されなければ前記表示器の画面表示をオフする表示中断手段と、表示中断手段により画面表示をオフしている間に操作入力部の操作が再開されると表示器の画面表示を再開する表示再開手段と、表示再開手段による画面表示の再開時に表示器に最初に表示させる前記操作ページを決定するページ決定手段とを有することを特徴とする請求項１記載の監視制御装置。
【請求項３】
前記ページ決定手段は、前記表示中断手段により画面表示がオフされる直前に前記表示器に表示されていた前記操作ページを最終表示ページとして記憶部に記憶し、当該最終表示ページを画面表示の再開時に最初に表示させる前記操作ページとすることを特徴とする請求項２記載の監視制御装置。
【請求項４】
前記ページ決定手段は、ユーザの操作により予め設定された前記操作ページを登録ページとして記憶部に記憶し、当該登録ページを画面表示の再開時に最初に表示させる前記操作ページとすることを特徴とする請求項２記載の監視制御装置。
【発明の詳細な説明】
【技術分野】
【０００１】
本発明は、通信によって負荷の監視制御を行う遠隔監視制御システムに用いられる監視制御装置に関するものである。
【背景技術】
【０００２】
従来から、負荷の遠隔監視制御を行うために通信線を通してスイッチのオンオフ情報を含む伝送信号を伝送し、負荷の電源を入切するリレーを伝送信号によって開閉させる技術が知られている。
【０００３】
この種の遠隔監視制御システムとしては、たとえばスイッチを有する操作端末器と負荷への電源を入切するリレーを有する制御端末器とを端末装置として備え、伝送ユニットをセンタ装置として備えた集中制御型のものがある。操作端末器および制御端末器はそれぞれ複数台ずつ設けられていてもよい。伝送ユニットと操作端末器と制御端末器とは２線式の通信線に接続されており、操作端末器および制御端末器に個別に設定されている端末アドレスを用いて伝送ユニットが操作端末器および制御端末器を各別に認識する。
【０００４】
伝送ユニットは、操作端末器と制御端末器とをアドレスによって対応付けたデータテーブルである制御テーブルを格納したメモリを備えている。この伝送ユニットは、いずれかの操作端末器におけるスイッチのオンオフ情報が伝送信号（時分割多重伝送信号を用いている）を用いて通知されると、制御テーブルによって当該操作端末器に対応付けられている制御端末器に対して伝送信号を用いてリレーを開閉する指示を伝送する。この指示を受けた制御端末器においてリレーが開閉される。そのため、スイッチのオンオフに応じて負荷が制御されることになる。
【０００５】
ところで、上述した遠隔監視制御システムにおいて、１箇所で多数の負荷の監視および制御を可能にするものとして、通信線に接続して用いられる監視制御装置（セレクタスイッチ）が提案されている（たとえば特許文献１参照）。
【０００６】
特許文献１に記載の監視制御装置は、液晶表示器よりなる表示器（ディスプレイ装置）と、表示器の画面に重ねて配置された透明なタッチスイッチと、表示器の表示制御およびタッチスイッチの操作に応じた負荷制御を行う制御部とを備え、タッチスイッチのうち表示器の画面上に表示される操作釦により規定された領域をそれぞれスイッチ（操作部）とする。つまり、ユーザにおいては表示器の画面上の操作釦にタッチすることで、当該操作釦に対応する負荷を制御することができる。さらに、制御対象となる各負荷の動作状態は表示器に表示される。この監視制御装置では、表示器に表示させる操作釦の個数を変更することにより、システム構成に応じて必要な個数のスイッチを設けることができるので、１台の装置でスイッチの個数の増減に対応可能になる。この構成において、表示器の画面上のどの操作釦をどの負荷に対応付けるかは、操作釦ごとに割り当てるアドレスによって決定する。
【先行技術文献】
【特許文献】
【０００７】
【特許文献１】特開平９−２６１７７７号公報（第５−７頁）
【発明の概要】
【発明が解決しようとする課題】
【０００８】
しかし、上記構成の監視制御装置においては、負荷の台数が多くなると表示器の１画面上に表示される操作釦の個数も多くなるため、各操作釦の表示サイズが小さくなり、操作釦同士の間隔も狭くなることで操作釦の誤操作が生じやすくなる。さらに、１画面上に表示される操作釦の個数が増えるに従って、ユーザにおいてはその中から所望の操作釦を見つけることが困難になる。このように、負荷の台数が多くなると操作性が悪くなるという問題がある。
【０００９】
また、多数の負荷に対応するためには、ある程度大きな画面サイズの表示器を用いる必要があるから、比較的安価な小型の液晶モジュール等を表示器に用いる場合に比べて監視制御装置の低コスト化を図りにくくなるという問題もある。
【００１０】
本発明は上記事由に鑑みて為されたものであって、多数の負荷に対応させる場合でも操作性がよく、また表示器の画面サイズを小さく抑えることができる監視制御装置を提供することを目的とする。
【課題を解決するための手段】
【００１１】
請求項１の発明は、通信によって負荷の監視制御を行う遠隔監視制御システムに用いられる監視制御装置であって、それぞれ負荷に対応付けられている複数の操作釦を画面上に表示可能な表示器と、表示器の画面に重ねて配置されるタッチスイッチを含みユーザにより操作される操作入力部と、表示器に表示される操作釦をユーザがタッチ操作することで当該操作釦に対応する負荷が制御されるように、表示器の表示制御および操作入力部の操作に応じた負荷制御を行う制御部とを備え、制御部が、それぞれ異なる組み合わせの複数個の操作釦を含む複数の操作ページの中から択一的に選択された操作ページを表示器に表示させる表示制御手段と、ユーザの操作に応じて表示器に表示させる操作ページを切り替えるページ切替手段とを有することを特徴とする。
【００１２】
この構成によれば、表示制御手段が、それぞれ異なる組み合わせの複数個の操作釦を含む複数の操作ページの中から択一的に選択された操作ページを表示器に表示させ、ページ切替手段が、ユーザの操作に応じて表示器に表示させる操作ページを切り替えるので、多数の負荷に対応させる場合でも、１画面上に表示される操作釦の個数を少なく抑えることができる。したがって、全ての操作釦が１画面上に表示される場合に比べて、各操作釦の表示サイズを大きくでき、操作釦同士の間隔も広く確保できるため、操作釦の誤操作が生じにくくなる。さらに、１画面上に表示される操作釦の個数が少なくなると、ユーザにおいては所望の操作釦を見つけやすくなる。結果的に、多数の負荷に対応させる場合でも操作性がよいという利点がある。また、表示器の画面サイズを小さく抑えることができ、比較的安価な小型の液晶モジュール等を表示器として用いることで、監視制御装置の低コスト化を図ることができる。
【００１３】
請求項２の発明は、請求項１の発明において、前記制御部が、前記操作入力部が所定時間に亘り操作されなければ前記表示器の画面表示をオフする表示中断手段と、表示中断手段により画面表示をオフしている間に操作入力部の操作が再開されると表示器の画面表示を再開する表示再開手段と、表示再開手段による画面表示の再開時に表示器に最初に表示させる前記操作ページを決定するページ決定手段とを有することを特徴とする。
【００１４】
この構成によれば、操作入力部がしばらくの間操作されなければ、表示器の画面表示をオフにすることで省電力化を図ることができる。
【００１５】
請求項３の発明は、請求項２の発明において、前記ページ決定手段が、前記表示中断手段により画面表示がオフされる直前に前記表示器に表示されていた前記操作ページを最終表示ページとして記憶部に記憶し、当該最終表示ページを画面表示の再開時に最初に表示させる前記操作ページとすることを特徴とする。
【００１６】
この構成によれば、画面表示がオフされる直前に表示されていた操作ページから画面表示を再開できるので、画面表示の再開後に、当該操作ページを再び表示させるためのユーザの操作が不要になり、操作回数を少なく抑えることができる。したがって、ユーザにおいては、操作途中で一旦画面表示がオフされたとしても、操作入力部を操作して画面表示を再開させることにより、画面表示がオフされる前の続きの状態から操作を再開することができ、操作性がよいという利点がある。
【００１７】
請求項４の発明は、請求項２の発明において、前記ページ決定手段が、ユーザの操作により予め設定された前記操作ページを登録ページとして記憶部に記憶し、当該登録ページを画面表示の再開時に最初に表示させる前記操作ページとすることを特徴とする。
【００１８】
この構成によれば、ユーザの操作により予め設定された操作ページから画面表示を再開できるので、画面表示の再開後に、当該操作ページを表示させるためのユーザの操作が不要になり、操作回数を少なく抑えることができる。したがって、ユーザがよく使う操作ページを登録ページとして設定しておけば、一旦画面表示がオフされたとしても、操作入力部を操作して画面表示を再開させることにより、当該登録ページから操作を再開することができ、操作性がよいという利点がある。
【発明の効果】
【００１９】
本発明は、表示制御手段が、それぞれ異なる組み合わせの複数個の操作釦を含む複数の操作ページの中から択一的に選択された操作ページを表示器に表示させ、ページ切替手段が、ユーザの操作に応じて表示器に表示させる操作ページを切り替えるので、多数の負荷に対応させる場合でも操作性がよく、また表示器の画面サイズを小さく抑えることができるという利点がある。
【図面の簡単な説明】
【００２０】
【図１】本発明の実施形態１の表示器の表示例を示す説明図である。
【図２】同上を用いた遠隔監視制御システムの構成を示す図である。
【図３】同上に用いる通信コマンドのフォーマットの説明図である。
【図４】同上の外観を示す概略正面図である。
【図５】同上の概略ブロック図である。
【図６】同上に用いる制御端末器の概略ブロック図である。
【図７】同上の表示器の表示例を示す説明図である。
【図８】同上の動作例を示すシーケンス図である。
【図９】本発明の実施形態２の動作例を示すシーケンス図である。
【図１０】同上の他の構成例の動作を示すフローチャートである。
【図１１】同上の動作例を示すシーケンス図である。
【図１２】本発明の実施形態３の動作を説明する説明図である。
【図１３】同上の動作を示すフローチャートである。
【図１４】同上の動作を示すフローチャートである。
【発明を実施するための形態】
【００２１】
以下の実施形態において説明する監視制御装置は、たとえば図２に示す遠隔監視制御システムに用いられるものである。
【００２２】
図２の例では、本発明に係る１台の監視制御装置１に接続された通信線Ｌｓに対し、複数の制御端末器Ｔ１１〜Ｔ１４，Ｔ２１〜Ｔ２４，Ｔ３１〜Ｔ３４（以下、各々を特に区別しないときは単に「制御端末器Ｔ」という）がバス接続されている。なお、監視制御装置１と複数の制御端末器Ｔとの間は有線接続に限らず、たとえば無線ＬＡＮなどの無線通信技術を用いた通信経路が形成されていてもよい。
【００２３】
各制御端末器Ｔ１１〜Ｔ１４，Ｔ２１〜Ｔ２４，Ｔ３１〜Ｔ３４には、それぞれ照明器具や空調設備（エアコン）等の負荷Ｌ１１〜Ｌ１４，Ｌ２１〜Ｌ２４，Ｌ３１〜Ｌ３４（以下、各々を特に区別しないときは単に「負荷Ｌ」という）が電源線Ｌｐを介して接続される。各制御端末器Ｔにはそれぞれ負荷Ｌへの電源出力を制御する手段（後述の電源制御回路）が設けられており、当該手段にて負荷Ｌの電源を制御（たとえばオンオフ）することにより、負荷Ｌの動作状態を制御する。制御端末器Ｔおよび監視制御装置１は、それぞれ商用電源（ＡＣ１００Ｖ）の供給を受けて内部電源を確保する。
【００２４】
ここでは一例として、負荷Ｌ１１〜Ｌ１４と負荷Ｌ２１〜Ｌ２４と負荷Ｌ３１〜Ｌ３４とは、フロア単位や部屋単位で区画化された３つの設置エリアＡ１，Ａ２，Ａ３に分かれて設置されているものとする。なお、遠隔監視制御システムを構成する負荷Ｌは全て同一の種別であってもよいし、異なる種別の負荷が混在していてもよい。さらに、負荷Ｌと制御端末器Ｔとを一体化した構成であってもよい。
【００２５】
ここにおいて、監視制御装置１は後述する負荷制御用のスイッチとしての機能を有しており、各スイッチと制御端末器Ｔとはアドレスにより対応付けられている。つまり、各制御端末器Ｔには個別にアドレスが設定されており、監視制御装置１の各スイッチには各制御端末器Ｔのアドレスが対応付けられることで、実際に操作されたスイッチに対応する負荷Ｌを制御することができる。スイッチと制御端末器Ｔとの対応関係を示す制御テーブルは監視制御装置１に設けられる。
【００２６】
以下に、上述の遠隔監視制御システムの動作について簡単に説明する。
【００２７】
監視制御装置１において、いずれかのスイッチが操作されると、監視制御装置１は当該スイッチに対応する制御端末器Ｔのアドレスを指定して負荷制御要求を通信線Ｌｓ上に送出する。監視制御装置１と制御端末器Ｔとの間の通信には、図３に示すように、自己のアドレス（負荷制御要求コマンドの場合、監視制御装置１のアドレス）Ｆ１と、送信先のアドレスＦ２と、負荷制御要求および後述の負荷制御応答の別を表すコマンド種別Ｆ３と、監視制御の内容（オン・オフ等）を表すパラメータＦ４と、伝送エラーを検出するためのフレームチェックシーケンス（ＦＣＳ）Ｆ５とを含む通信コマンドが用いられる。
【００２８】
監視制御装置１から負荷制御要求を受け取った制御端末器Ｔは、指定された制御内容に基づいて負荷Ｌの動作状態を制御する。さらに、制御端末器Ｔは、負荷Ｌの制御が完了すると、制御後の負荷Ｌの動作状態を確認するための負荷制御応答を、図３のフォーマットにて監視制御装置１に返送する。監視制御装置１は、受け取った負荷制御応答に基づいて、負荷Ｌの動作状態を表示する。
【００２９】
このような動作によって、監視制御装置１の操作を負荷Ｌの制御に反映させることができる。
【００３０】
（実施形態１）
本実施形態の監視制御装置１は、図４に示すように、液晶表示器にバックライトを一体化した表示器２と、表示器２の画面（前面）に重ねて配置された透明な板状のタッチスイッチ３とを器体４の前面に備えている。表示器２は、液晶表示器に限るものではなく、たとえば電子ペーパや有機ＥＬディスプレイ等でもよい。
【００３１】
表示器２には多数の画素を縦横にマトリクス状に配列したマトリクス表示型のものを用い、画素の組み合わせによって図形や文字をカラー表示するようになっている。タッチスイッチ３は、透明なシート状部材に透明電極からなる接点部を多数個配列し、シート状部材に指などが触れた際にどの部位に触れたのかを出力する抵抗感圧方式のタッチスイッチであり、表示器２と共にタッチパネルディスプレイを構成する。なお、タッチスイッチ３は、抵抗感圧方式に限らず、たとえば静電容量方式、光学式のものであってもよい。
【００３２】
当該タッチパネルディスプレイは、ユーザからの操作入力を受け付けるためのものであって、タッチスイッチ３のうち表示器２の画面に表示される操作釦により規定された領域をそれぞれ負荷制御用のスイッチとする。つまり、ユーザにおいては表示器２の画面上の操作釦にタッチすることで、当該操作釦に対応する負荷Ｌを制御することができる。
【００３３】
この監視制御装置１は、図５に示すように、電源線Ｌｐ接続用の電源端子部５に接続され内部回路に直流電源を供給する電源回路６と、通信線Ｌｓ接続用の通信端子部７に接続され通信コマンドを授受する通信回路８と、表示器２の表示制御およびタッチスイッチ３の操作入力に応じた負荷制御等を行う制御部１０とを備えている。制御部１０はマイコンを主構成とし、制御情報記憶部１１および通信情報記憶部１２に書き込まれているプログラムおよびデータに従って動作する。制御情報記憶部１１にはスイッチ（操作釦）と制御端末器Ｔのアドレスとの対応関係を示す制御テーブル等の負荷制御に必要な情報が記憶され、通信情報記憶部１２には通信に必要な自己（監視制御装置１）のアドレス等が記憶される。通信回路８としては、たとえばＲＳ−４８５などのシリアル伝送回路やイーサネット（登録商標）用伝送回路等を適用可能である。
【００３４】
さらに、監視制御装置１は、タッチスイッチ３と共にユーザの操作を受け付けるための操作入力部を構成する起動スイッチ９と、電源のオンオフを示すＬＥＤ１３と、タッチスイッチ３が操作されたときに操作音を発するブザー１４と、メモリカード等の外部記憶媒体を装着可能なソケット１５とを備えている。起動スイッチ９は、器体４の前面における表示器２の下方に配置された機械スイッチからなり、タッチパネルディスプレイを起動して表示器２に画面表示を開始させるためのものである。外部記憶媒体は負荷制御に関する設定などに用いられる。なお、監視制御装置１における制御部１０や通信回路８等を表示器２や操作入力部等のユーザインタフェースから分離し、別体の親機として設けるようにしてもよい。
【００３５】
ここに、制御部１０は、スイッチ（操作釦）の操作に応じて通信コマンド（負荷制御要求）を通信線Ｌｓ上に送出する操作モードと、スイッチ毎のアドレスの割り当てや各種設定を行う設定モードとの２つの動作モードを切り替え可能に構成されている。これら動作モードの切り替えは、たとえば起動スイッチ９の長押しなどの所定の操作によって行われるものとする。
【００３６】
操作モードにおいては、制御部１０は、通信回路８で取得される通信コマンド（負荷制御応答）に基づき負荷状態（負荷Ｌの動作状態）を表示器２に表示し、且つ当該表示内容に関連付けられているタッチスイッチ３の操作に応じた負荷制御を行う。つまり、表示器２は、監視制御対象となる各負荷の現在の動作状態を表示する状態表示部として兼用され、ユーザにおいては、当該表示に応じてタッチスイッチ３を操作することで負荷を制御可能となる。
【００３７】
具体的に説明すると、制御部１０は図１に示すように表示器２の画面上に複数の操作釦Ｂ１１〜Ｂ１４，Ｂ２１〜Ｂ２４，Ｂ３１〜Ｂ３４（以下、各々を特に区別しないときは単に「操作釦Ｂ」という）を含む操作画面を表示し、タッチスイッチ３のうち表示器２の画面上の各操作釦Ｂと重なる領域をそれぞれスイッチとする。ユーザは、タッチスイッチ３の各スイッチ（各操作釦Ｂに対応する部分）に触れることで負荷制御のための操作入力を与えることができる。しかして、ユーザにおいては、任意の操作釦Ｂをタッチ操作することで、当該操作釦Ｂに対応する負荷Ｌを制御することができる。
【００３８】
なお、監視制御装置１と共に遠隔監視制御システムを構築する制御端末器Ｔは、図６に示すように電源線Ｌｐ接続用の電源端子部２５に接続され内部回路に直流電源を供給する電源回路２６と、通信線Ｌｓ接続用の通信端子部２７に接続され通信コマンドを授受する通信回路２８と、マイコンを主構成とする制御部３０とを備えている。制御部３０は、制御情報記憶部３１および通信情報記憶部３２に書き込まれているプログラムおよびデータに従って動作し、負荷端子部３３から負荷Ｌに出力される電源をオンオフする電源制御回路３４により、負荷Ｌの動作状態を制御する。
【００３９】
ところで、監視制御装置１は多数の負荷Ｌ１１〜Ｌ１４，Ｌ２１〜Ｌ２４，Ｌ３１〜Ｌ３４を監視制御の対象としているため、仮に、全ての負荷Ｌ１１〜Ｌ１４，Ｌ２１〜Ｌ２４，Ｌ３１〜Ｌ３４に対応する操作釦Ｂ１１〜Ｂ１４，Ｂ２１〜Ｂ２４，Ｂ３１〜Ｂ３４を表示器２の１画面上に表示すると、各操作釦Ｂの表示サイズが小さくなって負荷状態の表示が見にくくなったり、各操作釦Ｂの面積が小さくなってタッチ操作しにくくなったりする可能性がある。
【００４０】
そこで、本実施形態では表示器２の１画面当たりの操作釦Ｂの表示数を比較的少なくするため、制御部１０に、複数個の操作釦Ｂを分けて表示器２に表示させる表示制御手段１６、並びに表示器２に表示される操作釦Ｂを切り替えるページ切替手段１７としての機能を有している。ここに、表示制御手段１６は、図１に示すようにそれぞれ異なる組み合わせの複数個の操作釦Ｂを含む複数の操作ページＰ１〜Ｐ３の中から択一的に選択された操作ページＰ１〜Ｐ３を表示器２に表示させ、ページ切替手段１７は、ユーザの操作に応じて表示器２に表示させる操作ページＰ１〜Ｐ３を切り替える。
【００４１】
ここでは、それぞれ４つの操作釦Ｂを表示可能な操作ページＰ１〜Ｐ３を採用し、各操作ページＰ１〜Ｐ３の上方に表示されるタブ状のページ切替釦Ｄ１〜Ｄ３を択一的に選択することで、いずれかの操作ページＰ１〜Ｐ３が表示されるものとする。
【００４２】
各操作ページＰ１〜Ｐ３は、それぞれ同じ設置エリアＡ１〜Ａ３内の負荷Ｌに対応した操作釦Ｂの組み合わせを含んでおり、たとえば図１（ａ）のようにページ切替釦Ｄ１が選択されている状態（ハイライト表示されている状態）では設置エリアＡ１内の負荷Ｌ１１〜Ｌ１４に対応した操作釦Ｂ１１〜Ｂ１４を含む操作ページＰ１が表示される。この状態でページ切替釦Ｄ２が選択されると、表示器２の画面表示が更新され、図１（ｂ）のように設置エリアＡ２内の負荷Ｌ２１〜Ｌ２４に対応した操作釦Ｂ２１〜Ｂ２４を含む操作ページＰ２が表示される。同様に、ページ切替釦Ｄ３が選択されると図１（ｃ）のように操作釦Ｂ３１〜Ｂ３４を含む操作ページＰ３が表示される。各操作ページＰ１〜Ｐ３においては、それぞれ操作釦Ｂが画面上の縦方向（図１の上下方向）に２個ずつ、横方向（図１の左右方向）に２列で計４個表示される。ここで、監視制御装置１の電源投入時には初期画面として操作釦Ｂ１１〜Ｂ１４を含む操作ページＰ１が表示されるものとする。
【００４３】
なお、複数の操作釦Ｂはその属性によって各操作ページＰ１〜Ｐ３に振り分けられていればよく、上述のように対応する負荷Ｌの設置エリアＡ１〜Ａ３が同一の操作釦Ｂを同一の操作ページＰ１〜Ｐ３に振り分けるものに限らず、たとえば対応する負荷Ｌの種別（たとえば照明器具、空調設備の別）が同一の操作釦Ｂを同一の操作ページＰ１〜Ｐ３に振り分けるようにしてもよい。
【００４４】
また、各操作釦Ｂは、それぞれ対応する負荷Ｌの動作状態の表示に兼用されている。たとえば負荷Ｌ２１〜Ｌ２４の全てがオフ状態にあれば図１（ｂ）のように操作釦Ｂ２１〜Ｂ２４はその周縁が点線で表示されるのに対し、負荷Ｌ２１がオンすれば当該負荷Ｌ２１に対応する操作釦Ｂ２１は図７のように周縁が実線で表示される。このとき、負荷Ｌのオンオフ状態に応じて操作釦Ｂの表示色も切り替わるものとする（たとえば、オフ時：緑色、オン時：赤色）。
【００４５】
次に、本実施形態の監視制御装置１の動作について図８のシーケンス図を参照して説明する。
【００４６】
まず、監視制御装置１の表示器２の画面表示がオフの状態で（Ｓ１）、起動スイッチ９が押下されると（Ｓ２）、表示器２の画面表示を開始する（Ｓ３）。このとき、表示器２には初期画面として操作釦Ｂ１１〜Ｂ１４を含む操作ページＰ１が表示される。ここに、図８の例では画面表示の開始時に負荷Ｌは全てオフ状態にあるため、図１（ａ）に示した状態の操作ページＰ１が表示されることになる。
【００４７】
ここで、たとえば負荷Ｌ２１をオンするためには、まずページ切替釦Ｄ２をタッチ操作して（Ｓ４）、図１（ｂ）に示すように操作釦Ｂ２１〜Ｂ２４を含む操作ページＰ２を表示器２に表示させる（Ｓ５）必要がある。そして、操作ページＰ２が表示されている状態で、負荷Ｌ２１に対応する操作釦Ｂ２１がタッチ操作されると（Ｓ６）、監視制御装置１から制御端末器Ｔ２１に対して負荷制御要求が送信される（Ｓ７）。
【００４８】
負荷制御要求を受けた制御端末器Ｔ２１は、受信した通信コマンド（負荷制御要求）を解析し、負荷制御要求であることを認識した時点で、その制御内容に従って負荷Ｌ２１をオンするように自身の電源制御回路３４を制御する（Ｓ８）。その後、制御端末器Ｔ２１は監視制御装置１に対して負荷Ｌ２１がオン状態であることを示す負荷制御応答を返送する（Ｓ９）。
【００４９】
負荷制御応答を受けた監視制御装置１は、受信した通信コマンド（負荷制御応答）を解析し、負荷制御応答であることを認識した時点で、その制御内容に従って負荷Ｌ２１に対応する操作釦Ｂ２１の表示状態を変更し図７のような画面を表示する（Ｓ１０）。この表示により、負荷Ｌ２１の動作状態の変化をユーザに知らせることができる。
【００５０】
以上説明した構成の監視制御装置１によれば、多数の負荷Ｌを監視制御の対象としながらも、各負荷Ｌに対応する操作釦Ｂを複数の操作ページＰ１〜Ｐ３に分けて表示しているから、全ての操作釦Ｂを１画面上に表示する場合に比べて、１画面に表示される操作釦Ｂの個数を少なく抑えることができる。これにより、各操作釦Ｂの表示サイズを比較的大きくすることができ、且つ隣接する操作釦Ｂ間の間隔を広く確保できるため、操作釦Ｂの誤操作が生じにくくなるという利点がある。また、１画面に表示される操作釦Ｂの個数が少なくなることで、ユーザが操作釦Ｂを操作するに当たって表示されている操作釦Ｂの中から所望の操作釦Ｂを見つけやすくなり、操作性が向上する。
【００５１】
さらに、各操作釦Ｂの表示サイズが同じであれば、１画面に全ての操作釦Ｂを表示する場合に比べて、表示器２の画面サイズを小さくすることができるので、比較的安価な小型の液晶表示器等を表示器２に用いることができ、監視制御装置１の低コスト化を図ることができる。
【００５２】
（実施形態２）
本実施形態の監視制御装置１は、操作入力部であるタッチスイッチ３および起動スイッチ９が所定時間以上操作されなれければ表示器２の画面表示をオフする表示中断手段（図示せず）、並びに画面表示をオフしているときに起動スイッチ９が操作されると表示器２の画面表示を再開させる表示再開手段（図示せず）としての機能を制御部１０に有する点が実施形態１の監視制御装置１と相違する。
【００５３】
すなわち、表示中断手段は、操作入力部での操作が所定のオートオフ時間以上検出されなければ、表示器２のバックライトを消灯させるとともに、表示器２の画面表示をオフ（つまり、液晶表示器への出力を停止）する。一方、表示再開手段は、表示器２をオフとした状態で操作入力部にて所定の操作（ここでは起動スイッチ９の押下とする）を検出すると、バックライトを点灯し表示器２の画面表示を再開させる。これにより、操作入力部が長時間操作されない場合には、バックライトおよび液晶表示器をオフにして、表示器２の寿命を延ばすとともに低消費電力化を図ることができる。なお、前記オートオフ時間は設定モードにおいて設定されるものとする。
【００５４】
ここで、制御部１０は、表示再開手段による画面表示の再開時に表示器２の画面上に最初に表示させる操作ページ（以下、トップページという）Ｐ１〜Ｐ３を決定するためのページ決定手段（図示せず）としての機能を具備している。当該ページ決定手段は、表示中断手段が画面表示をオフする直前に表示器２に表示されていた操作ページＰ１〜Ｐ３を最終表示ページとしてページ情報記憶部（図示せず）に記憶し、当該最終表示ページを画面表示の再開時にトップページとして表示する。
【００５５】
以下、本実施形態の監視制御装置１の動作について図９のシーケンス図を参照して説明する。ここでは、実施形態１で説明した図８の処理により負荷Ｌ２１をオンした後、当該負荷Ｌ２１をオフするための動作を例示する。
【００５６】
操作釦Ｂ２１の操作の後、タッチスイッチ３、起動スイッチ９のいずれも操作されることなくオートオフ時間が経過すると、制御部１０は、このとき表示中の操作ページＰ２を最終表示ページとしてページ情報記憶部に記憶し、表示器２の画面表示をオフする（Ｓ１１）。その後、起動スイッチ９が押下されると（Ｓ１２）、制御部１０はページ情報記憶部から最終表示ページである操作ページＰ２を読み出し（Ｓ１３）、当該操作ページＰ２を表示する状態（図７の画面）から表示器２の画面表示を再開する（Ｓ１４）。そのため、ユーザにおいては、画面表示の再開後に負荷Ｌ２１をオフするため操作ページを切り替える操作をすることなく、操作釦Ｂ２１を操作することで（Ｓ１５）、負荷Ｌ２１をオフするための一連の処理（Ｓ１６〜Ｓ１９）を監視制御装置１に実行させることができる。
【００５７】
以上説明した構成によれば、画面表示がオフされる直前に表示器２に表示されていた操作ページＰ１〜Ｐ３から画面表示が再開されるので、画面表示の再開後に、画面表示中断前の続きの状態から操作を再開することができる。したがって、ユーザが一時的に監視操作端末器１から離れた場合などで画面表示中断前の続きの操作を行う場合、初期画面として固定的に設定されている操作ページＰ１〜Ｐ３から画面表示が再開される構成に比べて、操作ページＰ１〜Ｐ３を切り替える操作が不要になる分だけ操作性がよくなるという利点がある。
【００５８】
ところで、本実施形態の他の構成例として、ページ決定手段が画面表示再開時にトップページとして表示する操作ページＰ１〜Ｐ３を、ユーザの操作により予め設定できるようにすることも考えられる。この場合、ページ決定手段は、設定モードにおいてユーザが任意に選択した操作ページＰ１〜Ｐ３をページ情報記憶部に登録ページとして記憶し、当該登録ページを画面表示の再開時にトップページとして表示する。
【００５９】
ここで、上記登録ページを選択する際の動作について図１０のフローチャートを参照して説明する。
【００６０】
制御部１０は、操作モードにおいて起動スイッチ９が長押しされると（Ｓ５１：Ｙｅｓ）、動作モードを設定モードに切り替え、当該設定モードにおいて登録ページの選択モード（表示再開時画面選択モード）が選択されると（Ｓ５２）、表示器２に登録ページの選択画面（図１０中のＳ５３枠内に図示）を表示させる（Ｓ５３）。この選択画面上で、ユーザは所望の操作ページＰ１〜Ｐ３を登録ページとして選択する操作を行う（Ｓ５４）。ここでは一例として、設置エリアＡ１内の負荷Ｌ１１〜Ｌ１４に対応する操作釦Ｂ１１〜Ｂ１４を含んだ操作ページＰ１を登録ページとするために、選択画面上で「エリアＡ１に固定」という項目の左横に表示されている丸印内がタッチ操作されたものとする。なお、操作ページＰ２を選択するときには「エリアＡ２に固定」の項目を選択し、操作ページＰ３を選択するときには「エリアＡ３に固定」の項目を選択すればよい。
【００６１】
操作ページＰ１が選択されると、制御部１０は、表示器２の表示内容を当該選択内容が反映された選択画面（図１０中のＳ５５枠内に図示）に更新する（Ｓ５５）。そして、この状態で選択画面右下に表示されている「確定」アイコンがタッチ操作されると（Ｓ５６）、操作ページＰ１が登録ページに設定されたことを示す画面（図１０中のＳ５７枠内に図示）に表示器２の表示内容を更新する（Ｓ５７）。この画面の右下に表示されている「終了」アイコンがタッチ操作されると（Ｓ５８）、表示器２の画面表示をオフし（Ｓ５９）、設定モードを終了する。
【００６２】
なお、図１０中に例示する登録ページの選択画面は、「前回操作時の最終画面」という項目を含んでおり、当該項目が選択されていると、先述の最終表示ページが画面表示の再開時にトップページとして表示される。
【００６３】
以下に、登録ページとして操作ページＰ１が選択されている場合の監視制御装置１の動作について、図１１のシーケンス図を参照して説明する。
【００６４】
全ての負荷Ｌがオフの状態でユーザにより操作釦Ｂ２１が操作されると（Ｓ２１）、監視制御装置１は、負荷Ｌ２１をオンするための一連の処理（Ｓ２２〜Ｓ２５）を実行する。操作釦Ｂ２１の操作の後、タッチスイッチ３、起動スイッチ９のいずれも操作されることなくオートオフ時間が経過すると（Ｓ２６）、制御部１０は表示器２の画面表示をオフする（Ｓ２７）。その後、起動スイッチ９が押下されると（Ｓ２８）、制御部１０はページ情報記憶部から登録ページである操作ページＰ１を読み出し（Ｓ２９）、当該操作ページＰ１を表示する状態（図１（ａ）の画面）から表示器２の画面表示を再開する（Ｓ３０）。
【００６５】
以上説明した構成によれば、画面表示がオフされる直前に表示器２に表示されていた操作ページＰ１〜Ｐ３に関係なく、ある特定の操作ページ（登録ページ）Ｐ１〜Ｐ３から画面表示が再開されるので、画面表示の再開後に、登録ページ内の操作釦Ｂをすぐに操作することができる。したがって、ユーザがよく使う操作釦Ｂが含まれている操作ページＰ１〜Ｐ３を登録ページに設定しておけば、画面表示の再開後に当該操作釦Ｂの操作をする場合、画面表示中断前に表示器２に表示されていた操作ページＰ１〜Ｐ３から画面表示が再開される構成に比べて、操作ページＰ１〜Ｐ３を切り替える操作が不要になる分だけ操作性がよくなるという利点がある。
【００６６】
その他の構成および機能は実施形態１と同様である。
【００６７】
（実施形態３）
本実施形態の監視制御装置１は、操作釦Ｂの操作回数をカウントするカウント手段（図示せず）と、各操作ページＰ１〜Ｐ３における操作釦Ｂの並びを変更するページ更新手段（図示せず）とを制御部１０に有する点が実施形態２の監視制御装置１と相違する。
【００６８】
カウント手段は、表示器２に表示可能な全ての操作釦Ｂについて、各操作釦Ｂごとにそれぞれタッチ操作された回数をカウントするように構成される。ここで、カウント手段は、図１２（ａ）に示すように各操作釦Ｂ１１〜Ｂ１４，Ｂ２１〜Ｂ２４，Ｂ３１〜Ｂ３４にそれぞれ対応付けられたカウンタ値Ｃ１１〜Ｃ１４，Ｃ２１〜Ｃ２４，Ｃ３１〜Ｃ３４（以下、各々を特に区別しないときには単に「カウンタ値Ｃ」という）を、対応する操作釦Ｂ１１〜Ｂ１４，Ｂ２１〜Ｂ２４，Ｂ３１〜Ｂ３４が操作される度に１ずつ増加させて操作頻度カウンタ１８に格納する処理を常時行う。しかして、各操作釦Ｂの操作回数はそれぞれ個別のカウンタ値Ｃとしてカウントされる。
【００６９】
ページ更新手段は、表示再開手段が画面表示を再開させるときに、カウント手段におけるカウンタ値Ｃの大小関係に基づいて各操作釦Ｂの表示位置を決定する。すなわち、画面表示がオフの状態で起動スイッチ９が押下されると、ページ更新手段はまず、その時点での前記カウンタ値Ｃを昇順あるいは降順に並べ替える処理を行い、その結果を図１２（ｂ）に示す頻度管理テーブル１９に格納する。そして、ページ更新手段は、頻度管理テーブル１９の内容に基づき、操作釦Ｂを並べ替えて操作ページＰ１０，Ｐ２０，Ｐ３０を再構築する。
【００７０】
つまり、本実施形態の監視制御装置１によれば、図１３のように、操作釦Ｂが操作されると（Ｓ６１）、制御部１０は、当該操作釦Ｂが含まれる操作ページＰ１，Ｐ２，Ｐ３を特定し（Ｓ６２）、当該操作釦Ｂを特定して（Ｓ６２〜Ｓ６５）、対応するカウンタ値Ｃを１ずつ増加させ（Ｓ６７〜Ｓ７８）、変更後のカウンタ値Ｃに基づき頻度管理テーブル１９を更新する（Ｓ７９）。一方で、図１４に示すように、画面表示がオフの状態で起動スイッチ９が押下されると（Ｓ８１：Ｙｅｓ）、ページ更新手段は頻度管理テーブル１９を参照して（Ｓ８２）、操作ページＰ１０，Ｐ２０，Ｐ３０を再構築する処理を行う（Ｓ８３）。これにより、表示器２には操作釦Ｂが並べ替えられた画面（図１４中のＳ８４枠内に図示）が表示される（Ｓ８４）。
【００７１】
具体的には、ページ更新手段は、操作釦Ｂの対応する負荷Ｌの設置エリアＡ１〜Ａ３に関係なく全ての操作釦Ｂを対象に操作頻度（カウンタ値Ｃ）を比較して並べ替えを行い、操作頻度別に３つの操作ページＰ１０，Ｐ２０，Ｐ３０に改めて操作釦Ｂを振り分ける。ここで、操作ページＰ１０を画面表示の再開時に最初に表示されるトップページに設定し、操作ページＰ１０，Ｐ２０，Ｐ３０の順に、操作頻度の高い操作釦Ｂを各４個ずつ配置するものとする。要するに、全ての操作釦Ｂ１１〜Ｂ１４，Ｂ２１〜Ｂ２４，Ｂ３１〜Ｂ３４の中で、最もカウンタ値Ｃの大きい（つまり、最も操作頻度の高い）ものから４個の操作釦Ｂにてトップページたる操作ページＰ１０が構成され、その次にカウンタ値Ｃの大きい４個の操作釦Ｂにて操作ページＰ２０が構成され、残り４個の操作釦Ｂにて操作ページＰ３０が構成されることになる。
【００７２】
また、ページ更新手段は、各操作ページＰ１０〜Ｐ３０ごとに操作釦Ｂがカウンタ値Ｃの大きいものから画面左上、左下、右上、右下の順に並ぶように、各操作ページＰ１０〜Ｐ３０内での操作釦Ｂの配置を決定する。これにより、操作頻度が最高となる操作釦（つまり対応するカウンタ値Ｃが最大の操作釦）Ｂは、操作ページＰ１０の画面左上に配置されることになる。
【００７３】
しかして、たとえば図１２（ａ）のように操作釦Ｂ３１に対応するカウンタ値Ｃ３１が「００ＦＦｈ」（＝２５５回）で最大となり、操作釦Ｂ１４に対応するカウンタ値Ｃ１４が「００ＥＣｈ」（＝２３６回）で最小となる場合、頻度管理テーブル１９では図１２（ｂ）のようにカウンタ値Ｃが並べ替えられる。その結果、操作ページＰ１０には負荷Ｌ３１，Ｌ２１，Ｌ２２，Ｌ１１に対応する操作釦Ｂ３１，Ｂ２１，Ｂ２２，Ｂ１１が配置され、操作ページＰ２０には負荷Ｌ３２，Ｌ１２，Ｌ２３，Ｌ１３に対応する操作釦Ｂ３２，Ｂ１２，Ｂ２３，Ｂ１３が配置される。同様に、操作ページＰ３０には負荷Ｌ３３，Ｌ３４，Ｌ２４，Ｌ１４に対応する操作釦Ｂ３３，Ｂ３４，Ｂ２４，Ｂ１４が配置される。
【００７４】
以上説明した構成によれば、操作釦Ｂは操作頻度の高い順に並ぶように自動的に並べ替えられ、操作頻度の高い操作釦Ｂはトップページたる操作ページＰ１０に表示されることになる。そのため、ユーザにおいては、表示器２の画面表示の再開後に、操作頻度の高い操作釦Ｂを操作するために操作ページＰ１０〜Ｐ３０を切り替える操作が不要になり、操作性が向上するという利点がある。
【００７５】
なお、表示器２の画面上に「ソート」アイコンを表示し、当該アイコンがタッチ操作されることにより、操作頻度別の操作ページＰ１０〜Ｐ３０から元の（つまり、対応する負荷Ｌの設置エリアＡ１〜Ａ３ごとに操作釦Ｂが分類された）操作ページＰ１〜Ｐ３に変更する構成としてもよい。
【００７６】
その他の構成および機能は実施形態２と同様である。
【００７７】
ところで、本発明に係る監視制御装置１は、上述したように監視制御装置１と制御端末器Ｔとの間で直接通信を行う遠隔監視システムに限らず、たとえば背景技術の欄で説明したように伝送ユニットをセンタ装置として備えた遠隔監視制御システムに用いることも可能である。この場合、監視制御装置１のスイッチとして機能する操作釦Ｂごとに個別のアドレスが割り当てられ、伝送ユニットに格納されている制御テーブルによって操作釦Ｂのアドレスと制御端末器Ｔのアドレスとが対応付けられることになる。なお、監視制御装置１においては操作釦Ｂごとに個別の負荷番号が割り振られ、監視制御装置１に固有のアドレスの後に当該負荷番号を付加したものが各操作釦Ｂのアドレスとして用いられる。
【符号の説明】
【００７８】
１  監視制御装置
２  表示器
３  タッチスイッチ
９  起動スイッチ
１０  制御部
１６  表示制御手段
１７  ページ切替手段
Ｂ１１〜Ｂ１４，Ｂ２１〜Ｂ２４，Ｂ３１〜Ｂ３４  操作釦
Ｄ１〜Ｄ３  ページ切替釦
Ｌ１１〜Ｌ１４，Ｌ２１〜Ｌ２４，Ｌ３１〜Ｌ３４  負荷
Ｐ１〜Ｐ３  操作ページ
【図１】
2010273122.tif 000003
【図２】
2010273122.tif 000004
【図３】
2010273122.tif 000005
【図４】
2010273122.tif 000006
【図５】
2010273122.tif 000007
【図６】
2010273122.tif 000008
【図７】
2010273122.tif 000009
【図８】
2010273122.tif 000010
【図９】
2010273122.tif 000011
【図１０】
2010273122.tif 000012
【図１１】
2010273122.tif 000013
【図１２】
2010273122.tif 000014
【図１３】
2010273122.tif 000015
【図１４】
2010273122.tif 000016